(57)【要約】【課題】手洗いの各行程を画像としてモニタに順次表示することによって、手洗いが半強制的に行われるようにするとともに、誰でもが同じ内容の手洗いが可能となる自動手洗い装置を提供する。【解決手段】自動手洗い装置本体Ｘは、手洗い用シンク１の上部中央部に配置されている水吐出ノズル３、その左右に配置されている石けん液吐出ノズル４、消毒液吐出ノズル５を備えている。また、手洗い用シンク１の上部に配置されている液晶モニタ８を備えている。手洗いを行う人は手洗い用シンク１の前に近づいてセンサ９をかざすと、これをセンサ９が検出して、予め記憶されている手洗いシーケンス画像を順次生成して液晶モニタ６に表示し、さらに同画像に同期して各ノズルの制御を行う。【選択図】  図１
2006132277.tif 000002
【特許請求の範囲】
【請求項１】
手洗い用シンクの上部周辺に配置された、水吐出ノズル、石けん液吐出ノズル等の液吐出ノズルと、
装置本体に設けられ前記手洗い用シンクの前に人が接近したことを検出するセンサと、
前記手洗い用シンクの上部周辺に配置したモニタと、
前記センサで前記手洗い用シンクの前に人が接近したことを検出すると、手洗いシーケンス画像を順次生成して前記モニタに表示する制御部と、
を備えてなる自動手洗い装置。
【請求項２】
前記制御部は、前記モニタに表示される前記手洗いシーケンス画像に同期して各液吐出ノズルからの吐出を制御する請求項１記載の自動手洗い装置。
【請求項３】
手洗い用シンクの周辺に設けられた、ペーパタオル排出部等の手洗い用品排出部をさらに備え、前記制御部は、前記モニタに表示される手洗いシーケンス画像に同期して前記手洗い用品排出部からの排出を制御する請求項２記載の自動手洗い装置。
【発明の詳細な説明】
【技術分野】
【０００１】
本発明は、手洗い用シンクの上部周辺に水吐出ノズル、石けん液吐出ノズル等の液吐出ノズルを備えた自動手洗い装置に関する。
【背景技術】
【０００２】
自動手洗い装置は、吐出ノズルの蛇口を回さなくても自動的に液を吐出することによって、手洗いが清潔に且つ便利に行えるようにしたものである。
【０００３】
従来、この自動手洗い装置としては、手洗い用シンクの上部周辺に配置された水吐出ノズル、石けん液吐出ノズル等に、それぞれバルブを介してタンクを接続し、各ノズルに手が近づけられたことをセンサによって検出すると、上記バルブを制御することによってタンクからノズルに対して自動的に水や石けん液が供給されるようにしたものが提案されている（例えば、特許文献１）。このように構成にすることによって、当該装置の使用者（手洗い者）は、機器に手を触れることなく手を払うことができ、その後、例えばペーパータオル等で手を拭いて消毒液で消毒すれば、衛生的に一連の手洗い作業を行うことが可能になる。このような自動手洗い装置は、特に衛生面での管理が必要な医療部門や食品部門等に最適である。
【特許文献１】実開平６−１２５６６号公報
【発明の開示】
【発明が解決しようとする課題】
【０００４】
しかしながら、上記のような従来の手洗い装置では、手洗いの行程が手洗い者自身に委ねられているために、適切な行程で手洗いが行われなかったり、各行程の時間が短かったりして、洗浄消毒処理が確実に行われない可能性があった。
【０００５】
本発明の目的は、手洗いの各行程を画像としてモニタに順次表示することによって、手洗いが半強制的に行われるようにするとともに、誰でもが同じ内容の手洗いが可能となる自動手洗い装置を提供することにある。
【課題を解決するための手段】
【０００６】
本発明の自動手洗い装置は、手洗い用シンクの上部周辺に配置された、水吐出ノズル、石けん液吐出ノズル等の液吐出ノズルと、装置本体に設けられ前記手洗い用シンクの前に人が接近したことを検出するセンサと、前記手洗い用シンクの上部周辺に配置したモニタと、
前記センサで前記手洗い用シンクの前に人が接近したことを検出すると、手洗いシーケンス画像を順次生成して前記モニタに表示する制御部と、を備えたものである。
【０００７】
本発明の自動手洗い装置では、手洗い用シンクの前に人が接近すると、これをセンサによって検出し、モニタ上に手洗いシーケンス画像が順次生成して表示される。人の接近は、例えば、センサに手がかざされたりすることにより検出可能である。手洗いシーケンス画像は、例えば、水吐出ノズルから水が出る画像またはその状態を表すテキスト画像、石けん液で手を実際に洗っている動画像等であり、各画像はシーケンス画像であるために、それぞれの画像の表示時間が制御部によって規定されている。したがって、手洗い者が手洗い用シンクに近づいてセンサ位置に手をかざすなどの動作を行うことでその接近が検出されると、自動的に吐出ノズルから水や石けん液が吐出され、モニタに表示される画像に従って手洗い行程を実行していけばよいことになる。
【発明の効果】
【０００８】
本発明によれば、手洗い者は自動手洗い装置の各要素に手を触れることなく手洗いを実現できるために非常に衛生的である。また、モニタにシーケンス表示される手洗いシーケンス画像に従って手洗い行程を実行していけばよいために、手洗い行程が均一化され、洗浄消毒効果が確実なものとなる。
【発明を実施するための最良の形態】
【０００９】
図１は、本発明の実施形態である自動手洗い装置の外観斜視図、図２は正面図、図３は側面図、図４は図２のＡ−Ａ矢視断面図である。図１〜図４において、自動手洗い装置本体Ｘの正面ほぼ中央部には、手洗い用シンク１が設けられている。この手洗い用シンク１は、昇降リフト２によって昇降することが可能である。
【００１０】
前記手洗い用シンク１の上部周辺のほぼ中央部には、水吐出ノズル３が設けられている。また、その左右には、石けん液吐出ノズル４と消毒液吐出ノズル５が配置され、各ノズル４、５の下部には手が近づいたことを検出する光電センサ４ａ、５ａ（図３、４参照）が設けられている。前記水吐出ノズル３の上方には、後述の手洗いシーケンス画像を表示する液晶モニタ６が設けられ、この液晶モニタ６の向かって左側には、ペーパタオルボックス７が配置され、液晶モニタ６の向かって右側には、スポンジ取出し口８が設けられている。また、液晶モニタ６の向かって右側上方と左側上方には、人の手がかざされたことを検出するセンサ９、１２が設けられている。このセンサ９、１２は光電センサで構成される。センサ９に手がかざされると、後述の手洗いシーケンスが開始し、センサ１２に手がかざされると、手洗いシーケンスが中断し、再度かざされると同シーケンスが再開する。
【００１１】
前記スポンジ取出し口８の上方には、スポンジ挿入口１０が設けられている。このスポンジ挿入口１０から、所定数のスポンジが予め挿入され、手洗い者は、必要に応じて、スポンジ取出し口８からスポンジを取り出す。
【００１２】
前記ペーパタオル取出し口７は、カバー７ａを備えており、図外の駆動部によって、このカバー７ａの開閉動作が制御される。手洗い者は、このカバー７ａが開いた時にペーパタオルを取り出すことができる。
【００１３】
自動手洗い装置本体Ｘの最上部には照明部１１が設けられており、この照明部１１には、下方を照明する蛍光灯１１ａと、下方を照明するブラックライト１１ｃと、スピーカ１１ｂとを収納している。自動手洗い装置本体内には、制御部等が収納される制御ボックス１３が設けられている。
【００１４】
前記シンク１の内壁面には酸化チタンが塗布されている。このシンク内壁面に上記ブラックライト１１ｃが照射すると、酸化チタンが触媒となってシンク内の殺菌が可能となる。後述の手洗い行程が全部終了すると、このブラックライト１１ｃが点灯し、シンク１内の殺菌が自動的に行われる。
【００１５】
図５は制御ボックス１３の構成図である。制御部２０の入力側には、人の手がかざされたことを検出するセンサ９、１２、その他のセンサ（手検出用センサ４ａ、５ａ等）２１が接続され、出力側には、液晶モニタ６、音声駆動部２８、各ノズル等を駆動制御するための駆動制御部２１が接続されている。また、制御部２０にはシーケンス画像を記憶するシーケンス画像記憶部２１が接続されている。駆動制御部２２には、水吐出ノズル駆動部２３、石けん液吐出ノズル駆動部２４、消毒液吐出ノズル駆動部２５、ペーパタオル排出駆動部２６、照明駆動部２７が接続されている。各駆動部２３〜２６は、電磁弁やポンプの開閉またはオンオフ駆動を行う。また、照明駆動部２７は、蛍光灯１１ａ、ブラックライト１１ｃのオンオフ駆動を行う。また、音声駆動部２８は、スピーカ１１ｂを駆動する。
【００１６】
シーケンス画像記憶部２１には、本実施形態では、音声、文字（静止画像）、動画像を含むマルチメディア情報を記憶している。具体的には、属性（Windows（登録商標） OSでは拡張子) が、ｍｐｇからなるファイルを記憶し、各ファイルは行程ごととなっている。制御部２０内には、タイマカウンタがソフトウェア的に組み込まれ、このタイマカウンタによって、シーケンス画像記憶部２１から読みだしたファイルを順次、シーケンスにモニタ６および音声駆動部２８に出力する。ファイル中の音声部についてはスピーカ１１ｂから出力され、文字や動画像についてはモニタ６で出力される。
【００１７】
図６は、制御部２６によるシーケンス制御によって実行される手洗い行程を示す図である。
【００１８】
手洗い者が手洗いをするためにシンク１の前に近づいて、手でセンサ９をかざすと、センサ９がこれを検出して、行程がスタートする。すなわち、図６において行程１が実行される。行程１では、シーケンス画像記憶部２１から動画ファイルｂ. ｍｐｇが読みだされ、ｔ２秒間出力される。動画ファイルの音声としては、チャイム音が鳴った後「捨て水がでます」が出力され、文字としては、「ＳＴＡＲＴ」「捨て水がでます（使用しないでください）がモニタ６に出力される。この時、水吐出ノズル駆動部２３によって、水吐出ノズル４に連結されている電磁弁を開きｔ２秒後に閉じる。また、蛍光灯１１ａをオンする。手洗い者は、スピーカ１１ｂで上記の音声を聞き、且つモニタ６で上記の文字を視認することによって、ノズル３からでている水が、手洗いに使用してはならない捨て水であることを知ることができる。
【００１９】
上記ｔ２秒が経過すると、行程２に以降する。行程２は「水流し」である。この行程での対応する動画ファイルはｃ．ｍｐｇである。制御部２０は、この動画ファイルＣ．ｍｐｇを読出し、ｔ３秒の期間、チャイム音を出力した後「水がでます」を音声出力し、且つ、「水がでます」の文字をモニタ６上に表示出力する。また、水吐出ノズル３に連結されている電磁弁を開き、ほぼｔ３秒を経過すると同電磁弁を閉じる。手洗い者は、スピーカ１１ｂからの上記音声出力とモニタ６上の上記文字を視認することによって、水吐出ノズル３からでている水が手洗い用の水であることを知ることができる。
【００２０】
次に、行程３に移る。この行程は「洗浄液」行程である。上記と同様な制御によって、制御部２０はシーケンス制御を行い、音声出力および文字出力をする。また、この時石けん液吐出ノズル４に連結されている洗浄液ポンプ( 図示せず）をオンする。そして、このノズル４の下方に設けられているセンサで手を検出するとモニタ６上に「手洗いを開始してください」の表示に切り換える。次の行程４( 「スクラブ」行程）では、モニタ６上に手洗い動画像が表示される。手洗い者は、この手洗い動画像を視認しながら、石けん液と水を使用した手洗いを行う。そのときの手洗い期間は、手洗い動画像の表示されている時間である。
【００２１】
以下同様にして、制御部２０は、行程６から行程１７までのシーケンス制御を行い、行程１８において終了する。
【００２２】
なお、行程中、手でセンサ１２をかざすと、行程が中断する。その後、再び手がセンサ１２をかざすと中断していた行程が再開する。このセンサ１２により、何らかの中断せざるを得ない状況が発生したときに簡単に行程中断に移行することができ、また、その再開も簡単になる。
【００２３】
上記実施形態では、手がセンサ９をかざしたときに行程がスタートするが、センサ９により人がシンク前に接近したときを検出して行程をスタートさせることも可能である。この場合、センサ９としては焦電センサや光学センサを使用することが可能である。
【００２４】
以上のシーケンス制御により、手洗い者は装置本体に手を含む体の一部を触れることなく手洗いを行うことができるために衛生的となる。また、モニタに表示されるシーケンス画像を見ながら手洗いを行えばよいため、手洗いの手順を誤ることがなくなり、しかも、各行程の時間の均一化を実現できる。このため、誰であっても完全な手洗いが可能である。また、本実施形態のように画像とともに音声も出力することにより、手洗いの確実性ガさらに高まる。
【産業上の利用可能性】
【００２５】
医療従事者向け手洗い装置の他、食品扱い者向け手洗い装置に適用が可能である。
【図面の簡単な説明】
【００２６】
【図１】本発明の実施形態である自動手洗い装置の外観斜視図
【図２】上記自動手洗い装置の正面図
【図３】上記自動手洗い装置の側面図
【図４】上記図２のＡ−Ａ矢視断面図
【図５】制御ブロックの構成図
【図６】手洗い行程を示す図
【符号の説明】
【００２７】
１−手洗い用シンク
３−水吐出ノズル
４−石けん液吐出ノズル
５−消毒液吐出ノズル
６−液晶モニタ
７−ペーパタオル排出部
９−センサ
１３−制御ボックス
【図１】
2006132277.tif 000003
【図２】
2006132277.tif 000004
【図３】
2006132277.tif 000005
【図４】
2006132277.tif 000006
【図５】
2006132277.tif 000007
【図６】
2006132277.tif 000008